(57)【特許請求の範囲】
【請求項１】
ピーク波長域が６２０ｎｍ〜６６０ｎｍで、半値幅１０ｎｍ以下の超狭帯域の赤色光を発生させる超狭帯域光照射手段、或いは、ピーク波長域が５００ｎｍ〜５４０ｎｍで、半値幅１０ｎｍ以下の超狭帯域の緑色光を発生させる超狭帯域光照射手段を備え、半値幅がブロードな光照射と比べ、レプチン（Leptin）の増殖を強く誘導するものであることを特徴とする皮膚創傷回復（治癒）装置。
【請求項２】
ピーク波長域が６２０ｎｍ〜６６０ｎｍで、半値幅１０ｎｍ以下の超狭帯域の赤色光を発生させる超狭帯域光照射手段、ピーク波長域が５００ｎｍ〜５４０ｎｍで、半値幅１０ｎｍ以下の超狭帯域の緑色光を発生させる超狭帯域光照射手段、或いは、ピーク波長域が４４０ｎｍ〜４８０ｎｍで、半値幅１０ｎｍ以下の超狭帯域の青色光を発生させる超狭帯域光照射手段を備え、半値幅がブロードな光照射と比べ、血管新生作用と皮膚損傷治癒に寄与するＨＧＦ（Hepatocyto Growth Factor）の増殖を強く誘導するものであることを特徴とする皮膚創傷回復（治癒）装置。
【請求項３】
ピーク波長域が６２０ｎｍ〜６６０ｎｍで、半値幅１０ｎｍ以下の超狭帯域の赤色光を発生させる超狭帯域光照射手段、ピーク波長域が５００ｎｍ〜５４０ｎｍで、半値幅１０ｎｍ以下の超狭帯域の緑色光を発生させる超狭帯域光照射手段、或いは、ピーク波長域が４４０ｎｍ〜４８０ｎｍで、半値幅１０ｎｍ以下の超狭帯域の青色光を発生させる超狭帯域光照射手段を備え、半値幅がブロードな光照射と比べ、表皮細胞増殖因子であるＫＧＦ（Keratinocyte Growth Factor）の増殖を強く誘導するものであることを特徴とする皮膚創傷回復（治癒）装置。
【請求項４】
ピーク波長域が６２０ｎｍ〜６６０ｎｍで、半値幅１０ｎｍ以下の超狭帯域の赤色光を発生させる超狭帯域光照射手段を備え、半値幅がブロードな光照射と比べ、血管内皮増殖因子であるＶＥＧＦ（Vascular Endothelial Growth Factor）の増殖を強く誘導するものであることを特徴とする皮膚創傷回復（治癒）装置。
【請求項５】
ピーク波長域が６００ｎｍ〜９００ｎｍで、半値幅１０ｎｍ以下の超狭帯域の赤色光を発生させる超狭帯域赤色光照射手段を備え、照射エネルギーを所定値以下となるように、所定時間・所定パワーにて、超狭帯域の赤色光を頭部に照射させることにより、毛乳頭細胞から分泌されるサイトカインのｍＲＮＡ発現量を変化させ、育毛を促進することを特徴とする育毛装置。
【請求項６】
前記ピーク波長域が６３０ｎｍ〜６５０ｎｍであることを特徴とする請求項５に記載の育毛装置。
【請求項７】
前記サイトカインは、細胞増殖因子であるＨＧＦ（Hepatocyto Growth
Factor），ＩＧＦ（Insulin-likegrowth
factors），レプチン（Leptin），ＶＥＧＦ（Vascular Endothelial Growth Factor）であり、それらが全て照射後２４時間以内にｍＲＮＡ発現量が増加することを特徴とする請求項５又は６に記載の育毛装置。
【請求項８】
前記サイトカインは、炎症性サイトカインであるＴＮＦ−αのｍＲＮＡ発現量を８時間以内に減少させることを特徴とする請求項５又は６に記載の育毛装置。
【請求項９】
前記超狭帯域赤色光照射手段は、発光ダイオード（ＬＥＤ）を用いて照射エネルギーを小さくしたことを特徴とする請求項５又は６に記載の育毛装置。
【発明の詳細な説明】
【技術分野】
【０００１】
本発明は、皮膚創傷治癒および育毛に対して優れた効果がある装置に関するものである。
【背景技術】
【０００２】
従来、筋肉、関節などの慢性疼痛の緩解用の医用レーザ治療器として、例えば波長が７８０〜８３０ｎｍの近赤外線で、かつレーザ光出力１０ｍＷ〜６０ｍＷの半導体レーザを利用した装置が知られている（特許文献１）。この装置は、レーザ光を照射した疾患部の皮膚表面からのレーザ反射光を検出するためのフォトセンサを有し、該フォトセンサはプローブのレーザ光の照射口が皮膚表面に接触しているときにのみレーザの反射光を検出するように構成され、前記フォトセンサの少なくとも一つがレーザ反射光を検出しないときはレーザ光の照射を停止する構造である。【０００３】
また、各種の疾患たとえば肩関節周囲炎（五十肩）、筋肉痛、痛風、肩こり、腰痛、慢性関節リウマチ、変形性膝関節症、打撲、捻挫、帯状疱疹後神経痛、創傷部の疼痛、ストレス等の各種の疼痛や腫脹を生体組織へ浸透性がよい波長の近赤外線発光ダイオードをソース源とする近赤外線光を照射・浸透せしめることによって軽減化し、血行促進や抵抗力を増加させ得ることのできる安全性の高い近赤外線ＬＥＤ治療器が知られている（特許文献２）。
【先行技術文献】
【特許文献】
【０００４】
【特許文献１】特開平５−５７０２６号公報
【特許文献２】特開２００９−２０７６０５号公報
【発明の概要】
【発明が解決しようとする課題】
【０００５】
上述したように、従来の装置はレーザ治療器が主であり、発光ダイオード（ＬＥＤ）を使用するものとして近赤外線ＬＥＤ治療器があるものの、光自体が皮膚創傷に対する優れた治癒効果を有するものではなく、近赤外線の作用によって血行促進や抵抗力を増加させるものである。かかる状況下、超狭帯域の単色光を用いて、光照射により皮膚創傷を治癒する装置は知られていない。
本発明は、ＬＥＤ光を照射することで、皮膚の創傷治癒が行える装置を提供することを目的とする。
【課題を解決するための手段】
【０００６】
本発明者は医師であり、美容皮膚科治療、育毛・増毛及び脱毛の予防に関する情報の提供及びコンサルティングを業として行っている。かかる業務を通じて、長時間使用しても皮膚にトラブルを発生しない、安全で、かつ充分な効果を短時間で得られる美肌方法、育毛・増毛方法を鋭意検討し続けてきた。【０００７】
そして、本発明者は、様々な試作を行い、実際に自己の経営する美容クリニックにおいて、半値幅が１０ｎｍ 以下の超狭帯域の単色光を患部に照射することで、同じ光量の近似する波長域の光よりも強い作用を得られることができることの知見を得た。また、半値幅が１０ｎｍ 以下の超狭帯域の単色光を患部に照射することで、光源の光の干渉を著しく低減させ、その単色光本来の有する作用効果を皮膚及び皮膚下の細胞に与えることができるとの知見を得た。【０００８】
さらに、半値幅が１０ｎｍ 以下の超狭帯域の単色光を患部に照射することで、ＨＧＦ，ＫＧＦなどの増殖因子に作用して、皮膚創傷に対して、優れた治癒効果を有することの知見を得て、本発明を完成するに至ったものである。【０００９】
すなわち、本発明の皮膚創傷治癒装置は、ピーク波長域が６２０ｎｍ〜６６０ｎｍで、半値幅１０ｎｍ以下の超狭帯域の赤色光を発生させる超狭帯域光照射手段を備えた構成とされる。【００１０】
また、本発明の皮膚創傷治癒装置は、ピーク波長域が５００ｎｍ〜５４０ｎｍで、半値幅１０ｎｍ以下の超狭帯域の緑色光を発生させる超狭帯域光照射手段を備えた構成とされる。【００１１】
また、本発明の皮膚創傷治癒装置は、ピーク波長域が４４０ｎｍ〜４８０ｎｍで、半値幅１０ｎｍ以下の超狭帯域の青色光を発生させる超狭帯域光照射手段を備えた構成とされる。【００１２】
また、本発明の皮膚創傷治癒装置は、ピーク波長域が７００ｎｍ〜２５００ｎｍで、半値幅１０ｎｍ以下の超狭帯域の赤色光〜近赤外線光を発生させる超狭帯域光照射手段を備えた構成とされる。【００１３】
ここで、上記の皮膚創傷治癒装置における超狭帯域光照射手段に加えて、更に、超狭帯域光照射手段から照射された光を拡散させる拡散手段を備えたことが好ましい。【００１４】
次に、本発明の育毛装置は、ピーク波長域が６００〜９００ｎｍ（橙色の光から赤外線付近の光）、より好ましくは、６３０ｎｍ〜６５０ｎｍで、半値幅１０ｎｍ以下の超狭帯域の赤色光を発生させる超狭帯域赤色光照射手段を備え、照射エネルギーを所定値以下となるように、所定時間・所定パワーにて、超狭帯域の赤色光を頭部に照射させることにより、毛乳頭細胞から分泌されるサイトカインのｍＲＮＡ発現量を変化させ、育毛を促進することを特徴とするものである。【００１５】
ｍＲＮＡ発現量を変化させる具体的なサイトカインは、細胞増殖因子であるＨＧＦ（Hepatocyto Growth Factor），ＩＧＦ（Insulin-like
growth factors），レプチン（Leptin），ＶＥＧＦ（Vascular Endothelial Growth Factor）であり、それらが全て照射後２４時間以内にｍＲＮＡ発現量が増加する。【００１６】
また、上記のサイトカインのｍＲＮＡ発現量を増加させると同時に、炎症性サイトカインであるＴＮＦ−αのｍＲＮＡ発現量を８時間以内に減少させる。【００１７】
このような超狭帯域赤色光照射手段は、発光ダイオード（ＬＥＤ）を用いて照射エネルギーを小さくし、副作用や合併症の併発を防止することが好ましい。
【発明の効果】
【００１８】
上記の赤色または緑色の超狭帯域光を照射できる皮膚創傷治癒装置は、半値幅がブロードな光照射と比べ、レプチン（Leptin）の増殖を強く誘導する。【００１９】
上記の赤色、緑色、または青色の超狭帯域光を照射できる皮膚損傷治癒装置は、半値幅がブロードな光照射と比べ、血管新生作用と皮膚損傷治癒に寄与するＨＧＦ（Hepatocyto Growth Factor）の増殖を強く誘導する。【００２０】
上記の赤色、緑色、または青色の超狭帯域光を照射できる皮膚損傷治癒装置は、半値幅がブロードな光照射と比べ、表皮細胞増殖因子であるＫＧＦ（Keratinocyte Growth Factor）の増殖を強く誘導する。【００２１】
上記の赤色の皮膚損傷治癒装置は、半値幅がブロードな光照射と比べ、血管内皮増殖因子であるＶＥＧＦ（Vascular Endothelial Growth Factor）の増殖を強く誘導する。
すなわち、本発明の皮膚創傷治癒装置は、従来の光治療器と比較して、ＨＧＦ，ＫＧＦなどの増殖因子に作用して、皮膚創傷に対して、優れた治癒効果を有する。【００２２】
また、本発明の皮膚創傷治癒装置は、ピーク波長域が６２０ｎｍ〜６６０ｎｍで、半値幅１０ｎｍ以下の超狭帯域の赤色光を発生させる超狭帯域光照射手段と、ピーク波長域が５００ｎｍ〜５４０ｎｍで、半値幅１０ｎｍ以下の超狭帯域の緑色光を発生させる超狭帯域光照射手段と、超狭帯域光照射手段から照射された光を拡散させる拡散手段と、赤色光と緑色光を交互に照射させる切り替え手段と、を備えたことを特徴とする。
本発明者は、試行錯誤の上、皮膚創傷治癒には、赤色光と緑色光が有効に作用することの知見を得た。赤色光と緑色光の同時照射では個々の波長が干渉してしまい、個々の波長の作用が抑えられてしまう。そこで、赤色光と緑色光を同時照射するのではなく、赤色光と緑色光を交互に照射することにより、個々の波長の作用を最大限に引き出すことにした。
ここで、赤色光と緑色光を交互に照射させる切り替え手段とは、例えば、赤色光の超狭帯域光照射手段と、緑色光の超狭帯域光照射手段を、隣接して並べて、各々の照射手段の電源スイッチを切り替えるものが挙げられる。【００２３】
本発明の育毛装置は、細胞増殖因子であるＨＧＦ（Hepatocyto Growth Factor），ＩＧＦ（Insulin-like
growth factors），レプチン（Leptin），ＶＥＧＦ（Vascular Endothelial Growth Factor）の全てに対して、光照射後２４時間以内にｍＲＮＡ発現量が増加させ、同時に、炎症性サイトカインであるＴＮＦ−αのｍＲＮＡ発現量を８時間以内に減少させることから、毛成長を促進させるといった効果を有する。
また、本発明の育毛装置は、人体に使用した場合の副作用や合併症の併発を防止できるといった効果がある。さらに、本発明の育毛装置は、頭皮下の深達度が優れており、十分に頭皮下の毛乳頭細胞に影響を与える効果を有する。
【図面の簡単な説明】
【００２４】
【図１】本発明の超狭帯域光照射装置の構成図
【図２】皮膚創傷治癒のための超狭帯域光の影響を示す図
【図３】ＥＬＩＳＡ法によるタンパク質濃度分析を示す図（ＨＧＦ）
【図４】ＥＬＩＳＡ法によるタンパク質濃度分析を示す図（ＫＧＦ）
【図５】ＥＬＩＳＡ法によるタンパク質濃度分析を示す図（ＶＥＧＦ）
【図６】ＥＬＩＳＡ法によるタンパク質濃度分析を示す図（Ｌｅｐｔｉｎ）
【図７】ＥＬＩＳＡ法によるタンパク質濃度分析を示す図（ＩＬ−８）
【図８】線維芽細胞培養上清中のＨＧＦ蛋白濃度（ＥＬＩＳＡ法による分析結果）を示すグラフ
【図９】モニター男性１の推移の様子
【図１０】モニター男性２の推移の様子
【図１１】モニター男性３の推移の様子
【図１２】モニター男性４の推移の様子
【図１３】モニター男性５の推移の様子
【図１４】モニター男性６の推移の様子
【図１５】モニター男性７の推移の様子
【図１６】モニター男性８の推移の様子
【図１７】モニター男性９の推移の様子
【図１８】モニター男性１０の推移の様子
【図１９】赤色の狭帯域ＬＥＤ照射によるラットの育毛実験結果（１）
【図２０】赤色の狭帯域ＬＥＤ照射によるラットの育毛実験結果（２）
【図２１】赤色の狭帯域ＬＥＤ照射によるラットの育毛実験結果のグラフ
【図２２】創傷治癒効果の実験結果１（ＨＧＦ）
【図２３】創傷治癒効果の実験結果２（ＶＥＧＦ）
【図２４】創傷治癒効果の実験結果３（Ｌｅｐｔｉｎ）
【図２５】創傷治癒効果の実験結果４（ＩＬ−８）
【図２６】創傷治癒効果の実験結果５（ＫＧＦ）
【発明を実施するための最良の形態】
【００２５】
以下、本発明の実施形態について、図面を参照しながら詳細に説明していく。なお、本発明の範囲は、以下の実施例や図示例に限定されるものではなく、幾多の変更及び変形が可能である。
【実施例１】
【００２６】
図１は、本発明の超狭帯域光照射装置の構成図を示している。本発明の超狭帯域光照射装置は、３つの異なる超狭帯域の光が照射できる。この３つの異なる超狭帯域の光は、青色光（４５６ｎｍをピーク波長に持ち、半値幅１０ｎｍの波長光）と、緑色光（５１８ｎｍをピーク波長に持ち、半値幅８ｎｍの波長光）と、赤色光（６３８ｎｍをピーク波長に持ち、半値幅１０ｎｍの波長光）である。それぞれの超狭帯域の光は、それぞれ単色ＬＥＤ光源７（赤色ＬＥＤ光源，青色ＬＥＤ光源，緑色ＬＥＤ光源のいずれか）と、単色ＬＥＤ光源７から出射された各々の光の波長帯域を絞るバンドバスフィルター１３と、バンドバスフィルター１３を透過した半値幅が１０ｎｍの超狭帯域の光を拡散する拡散レンズ１２から構成されている。【００２７】
ここで、単色ＬＥＤ光源７としては、例えば、株式会社イマック製の平行光ＬＥＤ光源ＩＢＦ−ＬＳを用いることができる。単色ＬＥＤ光源７から照射される光は、超遠投な指向性のある光である。光径としては略５ｃｍであり、この光を、拡散レンズ１２を介して拡散させている。【００２８】
この３つの異なる超狭帯域の光を、通常の人間の線維芽細胞（Human Dermal Fibroblasts）に照射し、細胞増殖を観察した。【００２９】
細胞は、通常の人間の線維芽細胞を、３７℃、５％の二酸化炭素中の環境下、１０％ＦＣＳ−ＤＭＥＭで細胞培養したものを用いた。細胞増殖の中期から後期に入った状態の後に、細胞培養器をＤＭＥＭに換えた。
かかる試料を、ＲＴ−ＰＣＲ法によるｍＲＮＡ分析を施した。この分析結果について、下記表１に示す。表１は、増殖因子と炎症性サイトカインを示している。【００３０】
【表１】
0005540324.tif 000002
【００３１】
上記の表１に示すように、３つの異なる超狭帯域の光、すなわち、青色光（４５６ｎｍをピーク波長に持ち、半値幅１０ｎｍの波長光）と、緑色光（５１８ｎｍをピーク波長に持ち、半値幅８ｎｍの波長光）と、赤色光（６３８ｎｍをピーク波長に持ち、半値幅１０ｎｍの波長光）の照射部（光源）から線維芽細胞までの距離を１０ｃｍにし、特に制御を行わずに、２０分間、線維芽細胞に光を照射した。
ここで、青色光（４５６ｎｍ）の照度は１４０ルクス、緑色光（５１８ｎｍ）の照度は５２０ルクス、赤色光（６３８ｎｍ）の照度は６５０ルクスであった。測定に用いた照度計は、ＴＯＰＣＯＭ（登録商標）照度計ＩＭ−５である。
光を照射して、０時間後（すぐに）、４時間後、８時間後、２４時間後に、細胞培養器から細胞を取り出して、ＲＴ−ＰＣＲ法によって、ｍＲＮＡにおけるＫＧＦ，ＨＧＦ，Ｌｅｐｔｉｎ，ＶＥＧＦ，ＩＬ−８の発現レベルを分析した。【００３２】
次に、ＥＬＩＳＡ法（Enzyme-Linked Immunosorbent Assay：酵素免疫測定法）によるタンパク質濃度分析結果について説明する。同様に、青色光（４５６ｎｍ）と、緑色光（５１８ｎｍ）と、赤色光（６３８ｎｍ）の照射部（光源）から線維芽細胞までの距離を１０ｃｍにし、特に制御を行わずに、２０分間、線維芽細胞に光を照射させた。光を照射して、１日後、２日後、３日後、４日後に、ＥＬＩＳＡ法によって、タンパク質濃度を分析した。【００３３】
以下に、タンパク質濃度の分析結果を示す。
下記表２は、ＲＴ−ＰＣＲによるｍＲＮＡの分析を示すものである。表２から、レプチン、ＨＧＦ、ＫＧＦ、ＶＥＧＦは、３つの異なる超狭帯域の光の照射によって影響を受けていることがわかる。【００３４】
特に、赤色又は緑色の超狭帯域の光の照射によって、線維芽細胞は、照射量と関係なく、コントロールの線維芽細胞と比較すると、より多くのレプチンを発現していることがわかった。ＨＧＦとＫＧＦのｍＲＮＡの発現レベルは、青色、緑色、赤色のいずれの光の照射によっても、強く誘導されていることがわかる。
しかしながら、青色または緑色の超狭帯域の光を照射した線維芽細胞は、コントロールと比べて、ＩＬ−８とＶＥＧＦの増殖が少なかった。【００３５】
【表２】
0005540324.tif 000003
【００３６】
図３〜７は、ＥＬＩＳＡによるタンパク質濃度の分析結果を示している。図３〜７は、それぞれ、ＨＧＦ、ＫＧＦ、ＶＥＧＦ、レプチンの分析結果である。ＨＧＦ、ＫＧＦ、ＶＥＧＦは、青色、緑色、赤色のいずれの光の照射によっても増加している。但し、レプチンの場合は、青色光の照射によってはあまり影響がなく、赤色光および緑色光の照射によって強く誘導されている。【００３７】
以上のように、超狭帯域の光の照射によって、ＨＧＦ、ＫＧＦ、ＶＥＧＦ、レプチンが増加することから、超狭帯域の光の照射が皮膚の創傷治癒に効果的であることが示された。【００３８】
青色光（４５６ｎｍ）と、緑色光（５１８ｎｍ）と、赤色光（６３８ｎｍ）は、それぞれの波長に応じて皮膚の深くまで入り込み、ケラチン生成細胞だけでなく、線維芽細胞に影響を及ぼすことができる。【００３９】
図２は、超狭帯域光の照射による皮膚創傷治癒のための影響を示している。
図に示すように、超狭帯域光照射手段１により線維芽細胞１１１が増殖因子の増加を促進し、ケラチン生成細胞１１２、マクロファージ１１３、内皮細胞１１４に影響を及ぼす。
本発明は、皮膚の創傷を超狭帯域の光の照射により、線維芽細胞からサイトカインを強く誘導することによって治癒を促進できるといった利点がある。
【実施例２】
【００４０】
次に、実施例２では、ピーク波長域が６３０ｎｍ〜６５０ｎｍで、半値幅１０ｎｍ以下の超狭帯域の赤色光を発生させる超狭帯域赤色光照射手段を用いて、照射エネルギーを所定値以下となるように、所定時間・所定パワーにて、超狭帯域の赤色光を頭部に照射させることにより、毛乳頭細胞から分泌されるサイトカインのｍＲＮＡ発現量を変化させ、育毛を促進できることを説明する。
先ず、毛乳頭細胞に超狭帯域光照射手段を用いて、赤色・緑色・青色の半値幅１０ｎｍ以下の超狭帯域光を照射させた結果を示し、次に、実際にヒトの頭部に赤色・緑色・青色の半値幅１０ｎｍ以下の超狭帯域光を照射させた結果を示すことにする。【００４１】
ここで、超狭帯域光照射手段の照射光は、実施例１と同様、青色光（４５６ｎｍをピーク波長に持ち、半値幅１０ｎｍの波長光）と、緑色光（５１８ｎｍをピーク波長に持ち、半値幅８ｎｍの波長光）と、赤色光（６３８ｎｍをピーク波長に持ち、半値幅１０ｎｍの波長光）である。また、超狭帯域光照射手段は、実施例１と同様、赤色・緑色・青色それぞれの色の単色発光ダイオード（ＬＥＤ）光源と、単色ＬＥＤ光源から出射された各々の光の波長帯域を絞るバンドバスフィルターと、バンドバスフィルターを透過した半値幅が１０ｎｍの超狭帯域の光を拡散する拡散レンズから構成されている。
また、照射エネルギー強度は、照射光源から１０ｃｍの距離で２０分間照射した場合、赤色・緑色・青色の照射光は、それぞれ０．６，０．２，０．３（Ｊ／ｃｍ２）である。【００４２】
先ず、毛乳頭細胞に超狭帯域光照射手段を用いて、赤色・緑色・青色の半値幅１０ｎｍ以下の超狭帯域光を照射させた結果を示す。
実験方法は、正常ヒト毛乳頭細胞を、１０％ＦＣＳ
ＤＭＥＭを用いて、３５ｍｍ ｄｉｓｈで培養した後、ＬＥＤ照射直前にフェノールレッドを含まないＤＭＥＭに置き換え、ｄｉｓｈの底面より１０ｃｍの位置から、ＬＥＤ照射を２０分間実施した。赤色・緑色・青色の半値幅１０ｎｍ以下の超狭帯域光で、それぞれ照射し、照射直後、４時間後、８時間後、２４時間後に、ＲＮＡを抽出し、ＲＴ−ＰＣＲ法により細胞増殖因子や炎症性サイトカインなどについてｍＲＮＡを半定量的に測定した。
測定した結果について、ＲＴ−ＰＣＲ法により変化を認めたサイトカインに関して下記の表３に纏める。【００４３】
【表３】
0005540324.tif 000004
【００４４】
上記表３から、細胞増殖因子サイトカインのＨＧＦ(Hepatocyte Growth Factor)に関しては、コントロールに比して、半値幅１０ｎｍ以下の超狭帯域の赤色照射の場合、照射直後と照射後２４時間後にｍＲＮＡの発現量の増加が認められた。半値幅１０ｎｍ以下の超狭帯域の緑色照射の場合は、照射後４時間後にｍＲＮＡの発現量の増加が認められた。半値幅１０ｎｍ以下の超狭帯域の青色照射の場合は、照射後４時間，照射後８時間，照射後２４時間後にｍＲＮＡの発現量の増加が認められた。【００４５】
また、細胞増殖因子サイトカインのＩＧＦ−１(Insulin−like Growth Factor−1)に関しては、半値幅１０ｎｍ以下の超狭帯域の赤色照射の場合、照射後４時間，照射後８時間，照射後２４時間後にｍＲＮＡの発現量の増加が認められた。半値幅１０ｎｍ以下の超狭帯域の緑色照射の場合は、照射直後と照射後８時間後にｍＲＮＡの発現量の上昇が認められた。なお、半値幅１０ｎｍ以下の超狭帯域の青色照射の場合、特にｍＲＮＡの発現量の変化は確認できなかった。【００４６】
また、細胞増殖因子サイトカインのレプチン（Leptin）に関しては、半値幅１０ｎｍ以下の超狭帯域の赤色照射の場合、照射後４時間後と８時間後にｍＲＮＡの発現量の増加が認められた。半値幅１０ｎｍ以下の超狭帯域の緑色照射の場合も、赤色照射の場合と同様に、照射後４時間後と８時間後にｍＲＮＡの発現量の増加が認められた。半値幅１０ｎｍ以下の超狭帯域の青色照射の場合、照射直後，照射後４時間後，照射後２４時間後にｍＲＮＡの発現量の増加が認められた。【００４７】
また、細胞増殖因子サイトカインのＶＥＧＦ(Vascular Endothelial Growth Factor)に関しては、半値幅１０ｎｍ以下の超狭帯域の赤色照射の場合、照射直後，照射後４時間後，照射後８時間後にｍＲＮＡの発現量の増加が認められた。半値幅１０ｎｍ以下の超狭帯域の緑色照射の場合、照射直後と照射後８時間後にｍＲＮＡの発現量の増加が認められた。半値幅１０ｎｍ以下の超狭帯域の青色照射の場合、照射直後と照射後２４時間後にｍＲＮＡの発現量の増加が認められた。【００４８】
また、炎症性サイトカインのＴＮＦ−α(Tumor Necrosis Factor−α)に関しては、半値幅１０ｎｍ以下の超狭帯域の赤色照射の場合、照射後４時間後と８時間後にｍＲＮＡの発現量の減少が認められた。半値幅１０ｎｍ以下の超狭帯域の緑色照射の場合、照射後８時間後にｍＲＮＡの発現量の減少が認められた。【００４９】
次に、正常ヒト線維芽細胞に３日間、超狭帯域光照射手段を用いて、赤色・緑色・青色の半値幅１０ｎｍ以下の超狭帯域光を照射し、４日目に回収した培養上清中のＨＧＦ濃度を、ＥＬＩＳＡキットを用いて測定した。
測定結果を図８に示す。図８に示すように、測定の結果、赤色・緑色・青色の半値幅１０ｎｍ以下の超狭帯域光の全てで、優位に蛋白濃度の上昇が認められた。【００５０】
ここで、ＲＴ−ＰＣＲにより変化を認めたサイトカインの毛成長に関する役割について説明する。
先ず、ＨＧＦは毛の成長期の誘導や維持に作用する。ＩＧＦは器官形成や成長期の維持に作用する。レプチン（Leptin）は毛の成長期の誘導に作用する。ＶＥＧＦは男性型脱毛症治療に広く使用されているミノキシジルにより毛乳頭細胞よりその分泌が増加することも報告されているサイトカインであり、毛包の血管新生を促進する作用がある。これらのサイトカインは毛成長の促進に役割を果たすのに対し、ＴＮＦ−αは毛の成長期を抑制・退行期誘導など発毛の抑制に作用するサイトカインである。【００５１】
上述の毛乳頭細胞のＲＴ−ＰＣＲ法による分析から、毛成長促進の役割を担うサイトカインが、半値幅１０ｎｍ以下の超狭帯域の赤色光や緑色光の照射により上昇傾向にあり、一方で、発毛抑制の役割を担うＴＮＦ−αが、半値幅１０ｎｍ以下の超狭帯域の赤色光や緑色光の照射により発現が抑制されることがわかる。このことは、半値幅１０ｎｍ以下の超狭帯域の赤色光や緑色光の照射により発毛促進の可能性が示唆されたことになる。【００５２】
ここで、半値幅１０ｎｍ以下の超狭帯域の赤色光や緑色光の照射光の皮膚下の深達度に関していうと、一般に波長が長ければ長いほど深達度は深くなることから、一番波長の短い青色では深達度は約０．５ｍｍ程度となりヒトの頭部の毛乳頭細胞に対する影響は低い可能性が想定される。また、緑色でも成長期の毛乳頭細胞には影響が低いと言えるが、休止期の毛乳頭細胞に関しては十分に影響を与える可能性があると言える。そして、赤色に関しては深達度としては十分に毛乳頭細胞に影響を与えるものであると言える。【００５３】
また、発光ダイオード（ＬＥＤ）を半値幅１０ｎｍ以下の超狭帯域の照射光源に用いることで、照射出力が非常に低く、組織障害性が少ないためレーザなどと比べても照射後のダウンタイムがなく、色素沈着等の合併症などを併発しにくいという利点がある。半値幅１０ｎｍ以下の超狭帯域とすることにより、単一波長を照射することができるので有害な波長を取り除くことができ、また広範囲に複数の波長を照射することも可能である。【００５４】
また、発光ダイオード（ＬＥＤ）を用いた照射手段を用いることにより、自己発熱が少なく、冷却装置が不要なため、コンパクトで携帯可能な装置にすることができる。コンパクトで携帯可能な装置にすることにより、利便性が向上できる。【００５５】
次に、実際にヒトの頭部に半値幅１０ｎｍ以下の超狭帯域の赤色光を照射させた結果について写真データを示しながら説明する。
対象として、照射の回数が週平均1回以上で、３ヶ月以上照射しえた頭皮の薄毛を認める２９才から５９才（平均年齢４８．１才）の１１名の男性モニターを準備した。【００５６】
実験方法としては、上述の毛乳頭細胞と同様に、モニター患者の頭皮から約１０ｃｍの距離で超狭帯域の赤色光を１回あたり２０分間照射した。照射の回数は週１〜３回（平均週１回以上）で、期間は３〜８ヶ月である。モニター患者は育毛剤の使用や毛穴の詰まりを取り除く等の特別な処置は一切せず、日常生活は普段通りとした。効果判定はＭ字部分の薄毛については除外することとした。
効果判定は下記表４の基準１）〜３）で行っている。【００５７】
【表４】
0005540324.tif 000005
【００５８】
モニター男性１〜モニター男性１０における育毛の推移結果は下記表５の通りである。また、モニター男性１〜モニター男性１０における育毛の推移の様子をそれぞれ図９〜図１８に示す。【００５９】
【表５】
0005540324.tif 000006
【００６０】
週１回以上照射したものについては、有効率が１００％であり、うち２名が治癒し、７名が著効、１名が有効である。
上記の結果、１０名すべてに発毛を認め、有効率は１００％、著効以上は７／１０、治癒２／１０であった。効果の出方は順に、抜け毛の減少、毛髪のしっかり感と直毛化の出現、うずの復活と明らかな発毛（うぶ毛や細い軟毛からしっかりとした毛髪への著明な変化）という経過をとる例が多かった。また、Ｍ字部分の薄毛に対しては効果が乏しかった。上記の１０例の全例について、１〜２ヶ月以内で目視による効果が確認できた。
【実施例３】
【００６１】
実施例３では、赤色の狭帯域ＬＥＤ照射による育毛実験の結果について説明する。
図１９〜２１は、ラット６匹に対して、赤色の狭帯域ＬＥＤ照射による育毛の実験結果を示している。図１９は、比較対象として、狭帯域でない市販の赤色ＬＥＤの光を照射した結果である。一方、図２０は、半値幅が１０ｎｍの狭帯域の赤色ＬＥＤ（ＮＢ−Ｒｅｄ ＬＥＤ）の光を照射した結果である。なお、実験に用いた赤色ＬＥＤの波長は、６３５ｎｍである。【００６２】
図２１のグラフは、狭帯域の赤色ＬＥＤと市販の赤色ＬＥＤの光の照射実験を行った結果、育毛した領域の広がりをグラフで示したものである。図２１の横軸は、剃った後の経過日数であり、縦軸は、毛の生えた領域を０（毛が生えていない）〜１（体全体に毛が生えた）を数値化したものである。また、図２１のグラフの上方にある矢印は、光を照射した回数、タイミングを示している。光の照射は、１週間に３回の割合で実施し、４週間行った。
光の照射エネルギーは、１．０（Ｊ／ｃｍ２）であった。【００６３】
図２１のグラフによれば、照射開始から１１日経過後から、狭帯域の赤色ＬＥＤの光を照射した方は毛が生えて始めているのに対して、狭帯域でない市販の赤色ＬＥＤの光を照射したものは照射開始から２２日経過後から毛が生え始めている。また、照射開始から４週間後では、狭帯域の赤色ＬＥＤの光を照射した方は６割以上毛が生えているのに対して、狭帯域でない市販の赤色ＬＥＤの光を照射したものは５割程度しか毛が生えていない。
以上から、狭帯域の赤色ＬＥＤの光は、狭帯域でない赤色ＬＥＤの光と比べて、育毛効果に優れていることがわかる。
【実施例４】
【００６４】
実施例４では、半値幅が１０ｎｍの狭帯域ＬＥＤを用いて、創傷治癒効果を確認した。確認には、正常人由来の線維芽細胞を使用した。先ず、糖尿病モデルマウスに、６ｍｍの皮膚欠損を作成し、半値幅が１０ｎｍの狭帯域ＬＥＤの赤色光、青色光、緑色光をそれぞれ照射した。
図２２〜２６は、それぞれ、ＨＧＦ，ＶＥＧＦ，Ｌｅｐｔｉｎ，ＩＬ−８，ＫＧＦの結果を示す。【００６５】
緑色の狭帯域ＬＥＤを使用した場合、ＶＥＧＦとＩＬ−８に顕著な効果が現れた。また、ＨＧＦに対しても、緑色の狭帯域ＬＥＤが他の色のＬＥＤと比べて最も効果が現れた。【００６６】
また、赤色の狭帯域ＬＥＤを使用した場合、他の色のＬＥＤと比べてＬｅｐｔｉｎに最も効果が現れた。赤色の狭帯域ＬＥＤを使用した場合、ＨＧＦ，ＩＬ−８，ＫＧＦに対して、コントロールと比べて顕著な効果が現れた。
これらから、半値幅が１０ｎｍの狭帯域のＬＥＤの光を照射した場合、緑色、赤色の狭帯域ＬＥＤを用いると、創傷治癒効果が得られることがわかる。【００６７】
これらの２つの緑色と赤色を交互に照射して創傷治癒効果を高める。２つの緑色と赤色を同時に照射すると、互いに干渉することになり、創傷治癒効果が小さくなる。２つの緑色と赤色を交互に照射することにより、干渉作用を回避するのである。なお、赤色の光を用いたものは、緑色の光を用いたものよりも、皮膚下深く光が浸透して作用することから、創傷治癒効果を高めることが期待される。
【産業上の利用可能性】
【００６８】
本発明は、病院における皮膚創傷治癒器具ならびに育毛器具に有用である。
【符号の説明】
【００６９】
１，２  超狭帯域光照射装置
１１１  線維芽細胞
１１２  ケラチン生成細胞
１１３  マクロファージ
１１４  内皮細胞
【図１】
0005540324.tif 000007
【図２】
0005540324.tif 000008
【図３】
0005540324.tif 000009
【図４】
0005540324.tif 000010
【図５】
0005540324.tif 000011
【図６】
0005540324.tif 000012
【図７】
0005540324.tif 000013
【図８】
0005540324.tif 000014
【図９】
0005540324.tif 000015
【図１０】
0005540324.tif 000016
【図１１】
0005540324.tif 000017
【図１２】
0005540324.tif 000018
【図１３】
0005540324.tif 000019
【図１４】
0005540324.tif 000020
【図１５】
0005540324.tif 000021
【図１６】
0005540324.tif 000022
【図１７】
0005540324.tif 000023
【図１８】
0005540324.tif 000024
【図１９】
0005540324.tif 000025
【図２０】
0005540324.tif 000026
【図２１】
0005540324.tif 000027
【図２２】
0005540324.tif 000028
【図２３】
0005540324.tif 000029
【図２４】
0005540324.tif 000030
【図２５】
0005540324.tif 000031
【図２６】
0005540324.tif 000032